(57)【特許請求の範囲】
【請求項１】
基板をカメラ本体内に防振部材を介して取り付け、この基板にモータとモータの駆動力を伝達するギア列とからなる駆動ユニットとスイッチ接点とを近接して設けたカメラにおいて、
前記防振部材を前記駆動ユニットと前記スイッチ接点との間の空間を仕切るように形成し、その端部を前記カメラ本体の内壁面に密接させたことを特徴とするカメラの防振防油装置。
【請求項２】
請求項１記載のカメラの防振防油装置において、
防振部材の両端部をカメラ本体の内壁面に密接し、カメラ本体と防振部材とによって前記スイッチ接点を取り囲んだことを特徴とするカメラの防振防油装置。
【発明の詳細な説明】
【０００１】
【発明の属する技術分野】
本発明は、フィルム巻上げ、巻戻し機構の駆動ユニットを内蔵したカメラに関し、特に駆動ユニットの振動を吸収することによりカメラ本体への伝達を阻止すると共に、飛散される潤滑油からスイッチ接点を保護するようにしたカメラの防振防油装置に関するものである。
【０００２】
【従来の技術】
駆動モータを内蔵し、その駆動力によってフィルムの巻上げ、巻戻しを自動的に行うようにしたカメラは、従来から種々知られている。このようなカメラにおいて、駆動ユニットをカメラ本体に直接固定すると、モータやギアの振動がカメラ本体に伝わり騒音の原因となるため、駆動ユニットを基板に取り付け、この基板をカメラ本体に防振部材を介して固定している（例：特開平４−３７１９３２号公報）。
【０００３】
【発明が解決しようとする課題】
しかしながら、フィルム巻上げ、巻戻し機構の駆動ユニットは、モータの回転を伝達するギアに摩擦を軽減し摩耗を防ぐために、油（潤滑油、グリス）を塗布しておくことが多く、そのため裏蓋の開閉状態を検知するスイッチを駆動ユニットに近接して配置しておくと、油がギアから飛散してスイッチの接点に付着し、スイッチが正常に機能しなくなるという問題があった。
【０００４】
そこで、このような問題を解決するためには、駆動ユニットとスイッチとの間に飛散した油がスイッチに付着するのを阻止する部材を配置すればよいわけであるが、そうすると部品点数および組立工数が増加し、製造コストが高くなるという新たな問題が起きる。
【０００５】
本発明は上記した従来の問題点を解決するためになされたもので、その目的とするところは、１つの部材に防振機能と防油機能をもたせることにより、部品点数および組立工数の増加を防ぎ、安価に製作することができるようにしたカメラの防振防油装置を提供することにある。
【０００６】
【課題を解決するための手段】
上記目的を達成するために本発明は、基板をカメラ本体内に防振部材を介して取り付け、この基板にモータとモータの駆動力を伝達するギア列とからなる駆動ユニットとスイッチ接点とを近接して設けたカメラにおいて、前記防振部材を前記駆動ユニットと前記スイッチ接点との間の空間を仕切るように形成し、その端部を前記カメラ本体の内壁面に密接させたことを特徴とする。
また、本発明は、防振部材の両端部をカメラ本体の内壁面に密接し、カメラ本体と防振部材とによって前記スイッチ接点を取り囲んだことを特徴とする。
【０００７】
本発明において、防振部材は基板を保持することにより駆動ユニットの振動が基板を介してカメラ本体に伝わらないようにする。また、駆動ユニットとスイッチ接点との間の空間を仕切るような形状と構造をもつように形成されることにより、駆動ユニットのギアに塗布されている油が飛散してスイッチ接点に付着するのを阻止する。さらに、防振部材とカメラ本体でスイッチ接点を取り囲むと、この取り囲まれた空間内に油や塵埃が侵入することがない。
【０００８】
【発明の実施の形態】
以下、本発明の実施の形態を図面に基づいて説明する。
図１は本発明に係る防振防油装置を備えたカメラのフィルム巻上げ、巻戻し機構部の断面図、図２は図１のII−II線断面図、図３は防振部材の斜視図である。これらの図において、１はカメラ本体、２はカメラ本体１内に防振部材３を介して取り付けられた基板、４は基板２に取り付けられたフィルム巻上げ、巻戻し機構の駆動ユニット、５は同じく基板２に取り付けられた図示しない裏蓋の開閉状態を検知するスイッチ、６はカメラ本体１の開口部を覆う天板、７は基板２をカメラ本体１に防振部材３を介して固定する止めねじである。なお、図１においては、天板６を省略している。
【０００９】
前記防振部材３は、ゴムなどのような弾性を有する材料によって駆動ユニット４とスイッチ５を仕切るように長く形成され、基板２の一端部寄りに着脱可能に取り付けられる。基板２に対する防振部材３の取り付けは、基板２のスイッチ側の両角部にそれぞれ設けた嵌合凹部１１に、防振部材３の両端部に設けた固定部３Ａを防振部材３自体の弾性変形を利用してそれぞれ圧入し、固定部３Ａの外周に形成した嵌合溝１２に前記嵌合凹部１１の周縁部を嵌合することにより容易に行われる。防振部材３の両端部には、前記固定部３Ａと、カメラ本体１の内壁面に当接する当接部３Ｂがそれぞれ一体に設けられている。固定部３Ａは、ねじ取付孔１３を有し、このねじ取付孔１３に前記止めねじ７を挿通してカメラ本体１の内底面に形成したねじ穴にねじ込むことにより防振部材３をカメラ本体１に固定している。したがって、基板２は防振部材３によって保持され、カメラ本体１とは直接接触していない。前記当接部３Ｂは、カメラ本体１の内面に向かって延在し舌片状に形成され、防振部材３がボディ本体１に取り付けられると先端部がカメラ本体１の内壁面に圧接されて図１に実線で示すように弾性変形し、これによってカメラ本体１の内部を駆動ユニット側空間１５Ａとスイッチ側空間１５Ｂに仕切っている。なお、前記天板６は、防振部材３の上面に前記止めねじ７，８によって取り付けられている。
【００１０】
前記駆動ユニット４は、基板２の防振部材３とは反対側端部に２本の止めねじ１６によって取り付けられたモータ１７と、このモータ１７の回転を図示しない公知のフィルム巻戻し機構に減速して伝達する複数個のギア１９，２０，２１，２２，２３からなるギア列１８とで構成されている。ギア１９はモータ１７の出力軸２４に固定されている。ギア２０は、ギア１９に噛合する大ギア２０Ａと小ギア２０Ｂとからなり、基板２と天板６との間に固設された軸２５によって回転自在に軸支されている。ギア２１は、前記小ギア２０Ｂに噛合する大ギア２１Ａと小ギア２１Ｂとからなり、基板２と天板６との間に固設された軸２６によって回転自在に軸支されている。ギア２２は、基板２に固設された軸２７によって回転自在に軸支され、前記小ギア２１Ｂに噛合している。ギア２３は、基板２と天板６との間に設けられた軸２８によって回転自在に軸支され、前記ギア２２に噛合している。このギア２３の回転がフィルム巻戻し機構に伝達されることにより、撮影済みのフィルムを巻戻すようにしている。そして、これらのギア１９，２０，２１，２２，２３には、駆動に伴う摩耗、発熱等を防止するためにグリス、潤滑油等の油が塗布されている。
【００１１】
裏蓋の開閉状態を検知する前記スイッチ５は、絶縁部材３１によって互いに絶縁された固定接点５Ａと、弾性を有する可動接点５Ｂとからなり、基板２の一端部に止めねじ３０により前記絶縁部材３１を介して取り付けられることにより前記スイッチ側空間１５Ｂ内に位置し、カメラ本体１の内壁面に近接して対向している。カメラ本体１の壁面には、ピン３３が前記可動接点５Ｂの自由端部に対応して進退自在に貫通して設けられている。このピン３３は、裏蓋が開いた状態において図１に示す状態に保持される。この状態において、可動接点５Ｂの自由端部は、固定接点５Ａの接触部５１に接触しており、裏蓋が閉じるとピン３３はカメラ本体１内に進入して前記可動接点５Ｂを押圧し図１に破線で示すように弾性変形させることにより、固定接点５Ａから離間させる。
【００１２】
このようなカメラの防振防油装置にあっては、１つの部材によって振動のカメラ本体１への振動伝達と飛散した油がスイッチ５に付着するのとを同時に阻止することができる。すなわち、基板２をカメラ本体１に直接固定せず防振部材３によって基板２を保持しているので、駆動ユニット４の駆動による基板２の振動は防振部材３によって吸収され、カメラ本体１に伝達されることがない。
また、防振部材３によってカメラ本体１内を駆動ユニット側空間１５Ａとスイッチ側空間１５Ｂとを仕切っているので、駆動ユニット４のギア１９〜２３に塗布されている油が飛散してもスイッチ側空間１５Ｂ内に侵入してスイッチ５に付着することがない。また、塵埃の侵入も阻止することができる。したがって、スイッチ５が接点不良を起こすことがなく、裏蓋の開閉状態を確実に検出することができる。
また、防振部材３がスイッチ５を油の飛散から保護する防油部材を兼用しているので、部品点数および組立工数を削減でき、安価に提供することができる。
【００１３】
図４（ａ）、（ｂ）はそれぞれ防振部材の他の実施の形態を示す図である。同図（ａ）は、防振部材３を二点鎖線で示すように平面視鉤形（ＬまたはＪ字状）に形成し、カメラ本体１への取付時に実線で示すように本体部３-1を湾曲させ、一端側に設けた折曲部３-2をカメラ本体１の内壁面に密接した例を示す。同図（ｂ）は、防振部材３の固定部３Ａを止めねじ７によって締め付けることによって外周を太らせカメラ本体１の内壁面に密接した例を示す。この他、防振部材３の形状としては、種々の変形、変更が可能であり、要は駆動ユニット４とスイッチ５間の空間を仕切るものであればよい。
【００１４】
なお、上記した実施の形態においては、フイルム巻戻し機構の駆動ユニット４と裏蓋の開閉動作を検出するスイッチ５を基板２に近接して設けた例を示したが、本発明はこれに特定されるものではなく、基板に取付けられる駆動ユニットとスイッチであれば何でもよい。
【００１５】
【発明の効果】
以上説明したように本発明に係るカメラの防振防油装置は、基板をカメラ本体内に防振部材を介して取り付け、この基板にモータとモータの駆動力を伝達するギア列とからなる駆動ユニットとスイッチ接点とを近接して設けたカメラにおいて、前記防振部材を前記駆動ユニットとスイッチ接点との間の空間を仕切るように形成し、その端部を前記カメラ本体の内壁面に密接させたので、基板の振動を防振部材によって吸収しカメラ本体に伝達されるのを阻止するとともに、駆動ユニットを構成するギアに塗布されている油が飛散してスイッチ接点に付着するのを阻止することができる。したがって、スイッチの接点動作の信頼性を長期にわたって維持させることができる。また、防振部材が防油部材を兼用している、言い換えれば防振部材と防油部材を一体に形成したので、防振部材と防油部材を個々独立に設ける必要がなく、部品点数および組立工数を削減することができる。
【図面の簡単な説明】
【図１】  本発明に係る防振防油装置を備えたカメラのフィルム巻上げ、巻戻し機構部の断面図である。
【図２】  図１のII−II線断面図である。
【図３】  防振部材の斜視図である。
【図４】  （ａ）、（ｂ）はそれぞれ防振部材の他の実施の形態を示す図でる。。
【符号の説明】
１…カメラ本体、２…基板、３…防振部材、３Ａ…固定部、３Ｂ…接触部、４…駆動ユニット、５…スイッチ、５Ａ…固定接点、５Ｂ…可動接点、１５Ａ…駆動ユニット側空間、１５Ｂ…スイッチ側空間、１７…モータ、１８…ギア列、１９〜２３…ギア。
【図１】
0003700233.tif 000002
【図２】
0003700233.tif 000003
【図３】
0003700233.tif 000004
【図４】
0003700233.tif 000005